(57)【要約】【課題】回路基板への取付固定が強固で、小型化でき、携帯電話機のバッテリ用等に好適なコネクタを提供する。【解決手段】接点ばね片３と回路基板ＣＢとを電気的に接続する端子部３２と、端子部３２から接点ばね片押圧方向Ａに所定の距離Ｄだけ離れた位置に配置された固定部３３とで、回路基板ＣＢに接点ばね片３をしっかりと取付固定する。これにより、相手接点により接点ばね片３が押し込まれたとき、接点ばね片３を収容するケーシング２には押し込み力が伝わらず、コネクタ１が回路基板ＣＢから剥がれたり、ずれたりすることがない。【選択図】図３
2008198559.tif 000002
【特許請求の範囲】
【請求項１】
前面に開口部を有する収容室を備え、電子機器の部品に取付固定されるケーシングと、
接点部、端子部および固定部を備え、前記収容室に収容されて前記接点部が前記開口部から突出し、前記固定部は前記端子部から接点ばね片押込み方向に所定の距離だけ離れた位置に配置され、前記端子部と固定部とで前記部品に取付固定される接点ばね片と、
を備えたことを特徴とするコネクタ。
【請求項２】
前記端子部と固定部とが接点ばね片の基部に設けられ、該基部と前記接点部との間に接点ばね片の弾性変形部が設けられた請求項１に記載のコネクタ。
【請求項３】
接点ばね片の前記基部に接点ばね片組込み係止鈎部が、前記接点部に接点部突出位置設定鈎部がそれぞれ設けられ、前記収容室の内壁に、前記組込み係止鈎部と係合する組込み係止段部と、前記突出位置設定鈎部と係合する突出位置設定段部とを備えた請求項２に記載のコネクタ。
【請求項４】
前記接点ばね片が、曲げ加工された狭い幅の金属薄板からなり、前記端子部、固定部、組込み係止鈎部および接点部突出位置設定鈎部が、前記狭い幅内に設けられている請求項３に記載のコネクタ。
【発明の詳細な説明】
【技術分野】
【０００１】
本発明は、携帯電話機等の電子機器に取り付けられるコネクタに関し、特に、電子機器の回路基板とバッテリとを接続するのに好適なコネクタに関する。
【背景技術】
【０００２】
従来、接続対象と被接続対象との間を電気的に接続する回路接続パーツとして、例えば、特許文献１に記載の多連型プラグがある。以下、カッコ内の符号は特許文献１に記載のものである。この多連型プラグ（Ｄ）は、プラグ本体（２）と、このプラグ本体（２）に収容されたＳ形ばね部（９）とからなる。プラグ本体（２）にはＳ形ばね部（９）の接点（１ａ）を嵌挿するための孔が設けられており、Ｓ形ばね部（９）の接点（１ａ）を前記孔に嵌挿させた状態で、Ｓ形ばね部（９）をプラグ本体（２）とプラグ本体（２）との間に収容し双方を固着するように構成されている。
【０００３】
そして、Ｓ形ばね部（９）の端子（１ｂ）がジャック（４）に押されたとき、Ｓ形ばね部（９）の変形により、端子（１ｂ）がジャック（４）の押圧方向から横にずれないようにしてある。
【０００４】
プラグ本体（２）の取付固定ピンは回路基板等の孔に挿入され、多連型プラグ（Ｄ）が回路基板等に固定されていて、ジャック（４）の押圧によりＳ形ばね部（９）は変形するが、Ｓ形ばね部（９）の端子（１ｂ）とプラグ本体（２）とは、回路基板等から浮き上がったり、ずれたりすることはない。
【０００５】
しかし、携帯電話機やデジタルカメラのような小型電子機器においては、そこに取り付けるコネクタも小型化が要求されている。小型化に伴い、プラグ本体（２）の取付固定ピンも小型化が必要になり、取付固定ピンの数、配置も制約を受け、プラグ（本発明のコネクタに相当）と回路基板等との取付固定だけでは、ジャック（４）の押圧に耐えるのに充分ではなくなる。
【０００６】
そこで、小型電子機器においては、図５に示すようなコネクタと回路基板等との取付固定構造が採用されている。すなわち、図５では、コネクタ１００は、その取付固定ピン１０１、１０１が回路基板ＣＢの孔２０１、２０１に挿入され、ひとまずコネクタ１００は回路基板ＣＢに取付固定される。しかし、これだけでは、ばねの接点１０２、１０２がバッテリ等の端子に矢印Ａ方向に押されて１０２' まで押し込まれると、コネクタ１００が回路基板ＣＢから浮き上がったり、ずれたりしやすい。そこで、コネクタ１００の奥行方向の両側ほぼ全幅Ｋにわたって、Ｌ型アングル３００、３００でコネクタ１００を回路基板ＣＢにしっかりと固定している。
【０００７】
【特許文献１】特開２００４−２２４０６号公報
【発明の開示】
【発明が解決しようとする課題】
【０００８】
前記Ｌ型アングル３００、３００は、強固な固定には非常に有効であるが、小型化には不向きであるし、部品点数が多くなって、コストを上昇させる。
【０００９】
そこで、本発明者は、部品点数の削減及び小型化を図るべく改良を行い本発明をするに至った。
【００１０】
本発明の目的は、電子機器回路基板等への取り付けが強固であって、しかも、部品点数を削減することにより、コストの削減が図れるばね状接点式のコネクタを提供することにある。
【課題を解決するための手段】
【００１１】
上記目的を達成するために、本発明は、前面に開口部を有する収容室を備え、電子機器の部品に取付固定されるケーシングと、接点部、端子部および固定部を備え、前記収容室に収容されて前記接点部が前記開口部から突出し、前記固定部は前記端子部から接点ばね片押込み方向に所定の距離だけ離れた位置に配置され、前記端子部と固定部とで前記部品に取付固定される接点ばね片と、を備えたことを特徴とする。
【００１２】
また、前記発明において、前記端子部と固定部とが接点ばね片の基部に設けられ、該基部と前記接点部との間に接点ばね片の弾性変形部が設けられようにすると、電子機器の部品へのコネクタの固定が強固になる。
【００１３】
更に、接点ばね片の前記基部に接点ばね片組込み係止鈎部が、前記接点部に接点部突出位置設定鈎部がそれぞれ設けられ、前記収容室の内壁に、前記組込み係止鈎部と係合する組込み係止段部と、前記突出位置設定鈎部と係合する突出位置設定段部とを備えると、コネクタがコンパクトになり、多接点のコネクタでも小型化できる。
【００１４】
ここで、前記接点ばね片が、曲げ加工された狭い幅の金属薄板からなり、前記端子部、固定部、組込み係止鈎部および接点部突出位置設定鈎部が、前記狭い幅内に設けられているようにすると、コネクタの幅を一層小さくでき、また、金属薄板からの接点ばね片の材料取りが経済的である。
【発明の効果】
【００１５】
本発明によれば、コネクタの接点部が相手接点に強く押されても、その押される方向に距離が離れた端子部と固定部とで電子機器の部品に強固に取付固定されているから、ケーシングに押力が伝わらず、コネクタが電子機器の部品から剥がされたり、ずれたりすることがなく、安定したコネクタ機能を維持できる。
【発明を実施するための最良の形態】
【００１６】
以下、本発明の実施の形態を、図１〜図４を参照しながら説明する。
【００１７】
図１は、本発明のコネクタの一実施形態を示す正面図、図２は、図１の底面図、図３は、図１のＩＩＩ−ＩＩＩ断面図、図４は、図１のコネクタに用いられる接点ばね片の曲げ加工前の素材を示す平面図である。
【００１８】
図１〜図３において、コネクタ１は、携帯電話機のバッテリ用コネクタで、ケーシング２と接点ばね片３とでなっている。
【００１９】
前記ケーシング２は、電気絶縁性の合成樹脂でモールド成型されている。前記ケーシング２には、前面に開口部Ｆを有する収容室４が３室並設されている。ケーシング２の下面Ｂの両サイドには、取付固定ピン５、５が下向きに突設されている。
【００２０】
前記接点ばね片３は、薄ステンレス鋼板から打ち抜かれ、所定の曲げ加工等により、幅狭・細長で、その長手方向に、本実施形態では、略Ｗ形（図３参照）に成形された短冊状をなしている。接点ばね片３の表面は、金メッキが施され、接点部の導電性や端子部のハンダ濡れ性をよくしている。
【００２１】
前記接点ばね片３は、前記収容室４に収容されて接点部３１が前記開口部Ｆから突出し、端子部３２およびこの端子部３２から接点ばね片押込み方向Ａに所定の距離Ｄだけ離れた位置に配置された固定部３３とで携帯電話機の回路基板ＣＢにハンダ付けされて取付固定される。
【００２２】
前記接点ばね片３には、更に、基部３４、弾性変形部３５、接点ばね片組込み係止鈎部３６および突出位置設定鈎部３７が設けられている。
【００２３】
前記基部３４と接点部３１との間には前記弾性変形部３５があって、これら基部３４、弾性変形部３５、接点部３１が順次折り曲げられて略Ｗ形をなし、ケーシング２の収容室４内に収容されている。
【００２４】
前記基部３４は、ケーシング２の底面Ｂに沿って収容室４内に配置されている。基部３４は、接点ばね片３の略Ｗ形の一端の辺となっている。そして、基部３４の一方の端部が下方に折り曲げられて前記端子部３２となり、他端側、すなわち、弾性変形部３５との境目側の三方打ち抜きにより形成された三方打ち抜き片部が下方に折り曲げられて前記固定部３３となっている。また、基部３４の中間部には、二方打ち抜きにより形成された二方打ち抜き片部が形成され、この二方打ち抜き片部も下方に折り曲げられて接点ばね片組込み係止鈎部３６となっている。
【００２５】
前記突出位置設定鈎部３７は、本実施形態では、接点部３１の先端部に形成されている。
【００２６】
前記ケーシング２の収容室４の内壁には、前記接点ばね片組込み係止鈎部３６と突出位置設定鈎部３７とにそれぞれ係合する組込み係止段部４６および突出位置設定段部４７が設けられている。組込み係止段部４６は、収容室４の底部一側に設けられたガイド溝４３の一側面に配備されて、接点ばね片組込み係止鈎部３６と対向するようになっている。突出位置設定段部４７は、収容室４の上部両側壁に設けられ、突出位置設定鈎部３７と対向するようになっている。
【００２７】
前記接点ばね片３の曲げ加工前のステンレス薄鋼板素材を図４に示す。図４に示すように、接点ばね片３は、狭い幅Ｈの細長い短冊状で、前記端子部３２、固定部３３、組込み係止鈎部３６および接点部突出位置設定鈎部３７が、この狭い幅Ｈ内に設けられている。打ち抜き加工の際、これらの端子部３２、固定部３３、組込み係止鈎部３６、接点部突出位置設定鈎部３７が同時に打ち抜き成形される。そのうち、固定部３３と組込み係止鈎部３６には局所的に曲げ加工が施される（図３参照）。接点部突出位置設定鈎部３７は接点部３１よりも両側に少し突き出していて、この突き出し部分がケーシング収容室４の上部両側壁に設けられた突出位置設定段部４７と係合する。なお、接点部３１の中央部分は打ち抜き工程において打ち出しプレスされたエンボス部３８となっていて、このエンボス部３８は、接点ばね片３が相手接点に押し込まれたとき、接点部３１の弾性変形を抑えるためのものである。
【００２８】
図４のステンレス薄鋼板素材は、図３に示すように、略Ｗ形に曲げ加工され、接点ばね片３となる。
【００２９】
［コネクタの組み付けと回路基板への取り付け］
以上に構成を説明した本実施形態のコネクタにおける、ケーシング２への接点ばね片３の組込み法を説明する。
【００３０】
先ず、接点ばね片３を、ケーシング２の後方（図３の左方）から収容室４に差し込んでいく。固定部３３が、収容室４のガイド溝４３に案内されて、基部３４と弾性変形部３５とのつながる部分は、収容室４の下懐部４４に入り、接点部３１は、収容室４の前面開口部Ｆから前方へ突出する。突出位置設定鈎部３７が、収容室４の突出位置設定段部４７に当たると、接点部３１は前進が止まり、基部３４の更なる前進につれて、弾性変形部３５が弾性変形し、接点ばね片組込み係止鈎部３６が、収容室４の組込み係止段部４６に嵌め込まれて、これにより、接点ばね片３は係止位置決めされる。
【００３１】
このようにして、３個の接点ばね片３が収容室４に納められ、係止されて、コネクタ１が完成する。
【００３２】
コネクタ１を回路基板ＣＢに取り付けるには、回路基板ＣＢの孔５１、５１にコネクタ１の取付固定ピン５を押し入れて機械的に固定し、回路基板ＣＢに端子部３２と固定部３３をハンダ付けして電気的、機械的にしっかり固定する。
【００３３】
［バッテリ装填時のコネクタの動作］
次に、携帯電話機にバッテリを着脱するときのコネクタ１の動作を、図３を参照して説明する。図３の３は、バッテリを取り外したときの接点ばね片を示している。３’は、バッテリを装填したときの接点ばね片を示している。
【００３４】
バッテリを取り外してあるとき、接点ばね片３は、その弾性変形部３５が弾性変形し、その弾力により、突出位置設定鈎部３７がケーシング２の突出位置設定段部４７に当たっている。
【００３５】
バッテリを装填するときは、バッテリの端子が接点部３１を図の右方から押し、接点ばね片３は、その弾性変形部３５が更に弾性変形して、３’の位置まで変形する。この状態では、接点ばね片３の基部３４付近も図の左方に押され、反時計方向に回転する力を受ける。
【００３６】
従来のコネクタでは、固定部３３がないから、基部３４は端子部３２が固定されたまま反時計方向に浮き上がり、接点ばね片３がケーシング２に当たり、ケーシング２の取付固定ピン５を回路基板ＣＢの孔５１から抜くようにして、浮き上がらせてしまう。
【００３７】
しかし、本発明のコネクタでは、接点ばね片３の基部３４は、前後の固定部３３と端子部３２とで回路基板ＣＢにしっかりと固定されているから、接点ばね片３もケーシング２も浮き上がることがなく、バッテリが装填されても、コネクタ１は回路基板ＣＢとの固定結合が維持される。
【００３８】
本発明は、上述の実施の形態に限られることなく、特許請求の範囲内で種々の実施の形態で実施することができる。例えば、Ｗ形とは異なる適宜の形状の接点ばね片、取付固定ピン方式でないケーシングと電子機器部品との取付固定方式、板ばね折り曲げによらず、接点ばね片にピンを固定した接点ばね片組込み係止鈎部、先端を折り曲げて折り曲げた先端を突出位置設定段部に当接させる突出位置設定鈎部、固定部の回路基板へのねじ止め、等種々の変形例が考えられる。
【図面の簡単な説明】
【００３９】
【図１】本発明のコネクタの一実施形態を示す正面図。
【図２】図１の底面図。
【図３】図１のＩＩＩ−ＩＩＩ断面図。
【図４】図１のコネクタに用いられる接点ばね片の曲げ加工前の素材を示す平面図。
【図５】従来のコネクタを示し、（ａ）は正面図、（ｂ）は側面図である。
【符号の説明】
【００４０】
１  コネクタ
２  ケーシング
３  接点ばね片
４  収容室
５  取付固定ピン
３１  接点部
３２  端子部
３３  固定部
３４  基部
３５  弾性変形部
３６  接点ばね片組込み係止鈎部
３７  突出位置設定鈎部
４３  ガイド溝
４４  下懐部
４６  組込み係止段部
４７  突出位置設定段部
５１  回路基板ＣＢの孔
Ａ  接点ばね片押込み方向
Ｂ  （ケーシングの）下面
Ｄ  （端子部３２と固定部３３との）距離
Ｆ  （前面）開口部
ＣＢ  携帯電話機の回路基板
【図１】
2008198559.tif 000003
【図２】
2008198559.tif 000004
【図３】
2008198559.tif 000005
【図４】
2008198559.tif 000006
【図５】
2008198559.tif 000007